(57)【要約】【課題】めっき溜まりをなくし、接触抵抗の増加を防ぐ。【解決手段】本明細書によって開示される雌端子１０は、本体部１１と、本体部１１から対向状態をなして前方に突出して設けられ、複数のスリットＳＬによって分離された複数の接触片１２とを備えた雌端子１０であって、複数の接触片１２によって囲まれた収容空間１５には、棒状をなす雄端子が収容可能とされており、複数の接触片１２には、雄端子に面接触する接触面（円弧面ＣＳ）がそれぞれ設けられており、スリットＳＬを構成する壁面２０と、これに隣り合う接触面とは、テーパ面１９を介して連結され、接触片１２における壁面２０とテーパ面１９とのなす角は鈍角で、かつ、接触片１２における接触面とテーパ面１９とのなす角は鈍角である。【選択図】図２
2018006060.tif 000002
【特許請求の範囲】
【請求項１】
本体部と、
本体部から対向状態をなして前方に突出して設けられ、複数のスリットによって分離された複数の接触片とを備えた雌端子であって、
前記複数の接触片によって囲まれた収容空間には、棒状をなす雄端子が収容可能とされており、前記複数の接触片には、前記雄端子に面接触する接触面がそれぞれ設けられており、
前記スリットを構成する壁面と、これに隣り合う前記接触面とは、テーパ面を介して連結され、前記接触片における前記壁面と前記テーパ面とのなす角は鈍角で、かつ、前記接触片における前記接触面と前記テーパ面とのなす角は鈍角である雌端子。
【請求項２】
前記雄端子は丸ピン形状とされ、前記接触面は前記雄端子の外周面に沿う曲面形状とされている請求項１に記載の雌端子。
【請求項３】
前記接触面は、前記接触片の先端側に設けられている請求項１または請求項２に記載の雌端子。
【発明の詳細な説明】
【技術分野】
【０００１】
本明細書によって開示される技術は、雌端子に関する。
【背景技術】
【０００２】
従来、棒状をなす雄端子を内部に嵌合可能な雌端子として、例えば特開２０１１−１７１１８３号公報（下記特許文献１）に記載のものが知られている。この雌端子は、本体部と、本体部から対向状態をなして前方に突出して設けられた複数の接触片とを備えて構成され、複数の接触片によって囲まれた収容空間に雄端子が収容されるようになっている。接触片の前端部における内面側には、雄端子に対する接点部となる円弧面が形成されている。この円弧面は、雄端子の外周形状と一致するため、雄端子と雌端子を接続すると、円弧面が雄端子に対して全面で接触する。
【先行技術文献】
【特許文献】
【０００３】
【特許文献１】特開２０１１−１７１１８３号公報
【発明の概要】
【発明が解決しようとする課題】
【０００４】
上記の雌端子では、隣り合う一対の円弧面の間にスリットが形成されており、このスリットが広がることによって各接触片が径方向外側に撓み可能とされている。しかしながら、スリットを構成する壁面とこれに隣り合う円弧面との角部は、ほぼ直角に近い角度で形成されており、めっきを施した際に、めっき厚が異常に高くなる、めっき溜まりと呼ばれる現象が発生する。これは、電荷の集中しやすいエッジ部分にめっきがのりやすいということに起因している。このため、雄端子と雌端子を接続する際に、めっき溜まりが雄端子を傷付けることで接触抵抗が増加したり、あるいは雄端子がめっき溜まりに乗り上げて円弧面に面接触しなくなることで接触抵抗が増加したりする不具合が発生することになる。
【課題を解決するための手段】
【０００５】
本明細書によって開示される雌端子は、本体部と、本体部から対向状態をなして前方に突出して設けられ、複数のスリットによって分離された複数の接触片とを備えた雌端子であって、前記複数の接触片によって囲まれた収容空間には、棒状をなす雄端子が収容可能とされており、前記複数の接触片には、前記雄端子に面接触する接触面がそれぞれ設けられており、前記スリットを構成する壁面と、これに隣り合う前記接触面とは、テーパ面を介して連結され、前記接触片における前記壁面と前記テーパ面とのなす角は鈍角で、かつ、前記接触片における前記接触面と前記テーパ面とのなす角は鈍角である構成とした。
【０００６】
このような構成によると、接触面とこれに隣り合うスリットの壁面とがテーパ面を介して連結されており、電荷の集中しやすいエッジ部分が存在しないため、めっき溜まりを防ぐことができる。これにより、雄端子の挿入・離脱時における雄端子の傷付きを抑制するとともに、雄端子を接触面に面接触させることで接触抵抗の増加を防ぐことができる。
【０００７】
本明細書によって開示される端子は、以下の構成としてもよい。
前記雄端子は丸ピン形状とされ、前記接触面は前記雄端子の外周面に沿う曲面形状とされている構成としてもよい。
このような構成によると、雌雄両端子が回転しても、雄端子を雌端子の接触面に面接触させることができるため、回転方向の位置決めが不要である。
【０００８】
前記接触面は、前記接触片の先端側に設けられている構成としてもよい。
このような構成によると、雌端子の接触面を外部から視認しやすくなり、めっき溜まりが発生していないことの確認が容易になる。
【発明の効果】
【０００９】
本明細書によって開示される雌端子によれば、めっき溜まりをなくすことができ、接触抵抗の増加を防ぐことができる。
【図面の簡単な説明】
【００１０】
【図１】雌端子の斜視図
【図２】雌端子の正面図
【図３】雌端子の側面図
【図４】図２におけるＡ−Ａ線断面図
【図５】図４におけるＢ−Ｂ線断面図
【図６】図２における要部拡大図
【発明を実施するための形態】
【００１１】
＜実施形態＞
実施形態を図１から図６の図面を参照しながら説明する。本実施形態における雌端子１０は略円筒形の端子であって、図１に示すように、略円形の外周形状を有しており、すり割り端子などの名称で呼ばれる場合がある。雌端子１０は、前後方向に長い形状をなしており、以下の説明においては図３の本体部１１を基準として図示左側（左方）を前側（前方）とし、図示右側（右方）を後側（後方）とする。雌端子１０は、前後方向中央部に配置された本体部１１、本体部１１から対向状態をなして前方に突出した複数の接触片１２、本体部１１の後端縁に周設されたフランジ部１３、本体部１１から後方に突出するバレル部１４などを備えて構成されている。なお、本実施形態では、６つの接触片１２を備えて構成された雌端子１０を例示している。
【００１２】
フランジ部１３は、図２に示すように、本体部１１の外周面から全周に亘って径方向外側に張り出す形態とされている。このフランジ部１３は、雌端子１０が収容されるキャビティ（図示せず）の後端開口縁部に対して後方から当接する。これにより、雌端子１０は、キャビティに収容された状態で前止まりされる。一方、バレル部１４は、図４に示すように、本体部１１よりも小径で中実の小径部１４Ａと、この小径部１４Ａから後方に形成された円筒状の円筒部１４Ｂとから構成されている。電線（図示せず）の端末に露出された芯線を円筒部１４Ｂに挿入してかしめることにより、雌端子１０と電線が導通可能に接続される。
【００１３】
複数の接触片１２の間には、丸ピン形状をなす雄端子（図示せず）が内部に収容される収容空間１５が形成されている。すなわち、収容空間１５は、各接触片１２の内面１２Ａによって囲まれた空間とされている。また、収容空間１５の前側には、雄端子が挿入されて接続される端子接続孔１６が形成されている。さらに、端子接続孔１６の前側には、前方に向かうほど開口が大きくなるガイド孔１７が形成されている。収容空間１５は、端子接続孔１６とガイド孔１７とを介して前方に開口されている。収容空間１５の径方向外側には、前後方向に長い長孔状をなす複数の横孔１８が形成されている。
【００１４】
図２に示すように、端子接続孔１６は、複数の円弧面ＣＳによって囲まれた空間とされている。円弧面ＣＳは、雄端子の外周面に沿う曲面形状とされている。また、図４に示すように、隣り合う一対の接触片１２は、スリットＳＬとその後側に連なった設けられた横孔１８とによって互いに分割されている。スリットＳＬは、ガイド孔１７から端子接続孔１６にかけての範囲に形成されている。
【００１５】
接触片１２は、図４に示すように、端子接続孔１６における対向する一対の円弧面ＣＳの間隔ｔが増減する方向に撓み可能に設けられている。すなわち、隣り合う一対の接触片１２は、後端部側を支点として前端部側が互いに接近および離間する方向に変位可能とされている。なお、接触片１２の外周面は、本体部１１の外周面よりもやや小径とされている。
【００１６】
端子接続孔１６に雄端子を嵌合させると、各接触片１２がわずかに径方向外側に撓んで各円弧面ＣＳが同一円周上に配置されるようになっている。このとき、各円弧面ＣＳによって構成された接点部が雄端子に対して全面で面接触するようになっている。
【００１７】
さて、図５に示すように、各円弧面ＣＳの両側縁には、それぞれ面取りが施されており、この面取り部分はテーパ面１９とされている。詳細には図６に示すように、テーパ面１９は、スリットＳＬを構成する壁面２０と、これに隣り合う円弧面ＣＳとを連結する面とされている。接触片１２における壁面２０とテーパ面１９とのなす角は鈍角で、かつ、接触片１２における円弧面ＣＳとテーパ面１９とのなす角は鈍角である。また、接触片１２の外面には、例えば銀めっきなどのめっき層２２が形成されている。
【００１８】
このようにすると、円弧面ＣＳと壁面２０の連結部分にエッジ部分が形成されないため、接触片１２をめっきする際に、電荷が一箇所に集中することはなく、例えば図６の一点鎖線で示した矢線２１のように、電荷が均等に分散するため、めっき溜まりを防ぐことが可能になり、テーパ面１９と円弧面ＣＳの双方で均一な厚さのめっき層２２を形成することが可能になる。
【００１９】
したがって、雄端子を雌端子１０に接続する際に、めっき溜まりによって雄端子が傷付くことで雄端子と円弧面ＣＳとの接触面積が低下することを抑制できる。また、雄端子がめっき溜まりに乗り上げることによって雄端子と円弧面ＣＳとの接触面積が低下することを抑制できる。この結果、雄端子と円弧面ＣＳの接続部分で接触抵抗が増加して発熱することを抑制できる。
【００２０】
以上のように本実施形態では、接触面（円弧面ＣＳ）とこれに隣り合うスリットＳＬの壁面２０とがテーパ面１９を介して連結されており、電荷の集中しやすいエッジ部分が存在しないため、めっき溜まりを防ぐことができる。これにより、雄端子の挿入・離脱時における雄端子の傷付きを抑制するとともに、雄端子を接触面に面接触させることで接触抵抗の増加を防ぐことができる。
【００２１】
雄端子は丸ピン形状とされ、接触面は雄端子の外周面に沿う曲面形状とされている構成としてもよい。
このような構成によると、雌雄両端子１０が回転しても、雄端子を雌端子１０の接触面に面接触させることができるため、回転方向の位置決めが不要である。
【００２２】
接触面は、接触片１２の先端側に設けられている構成としてもよい。
このような構成によると、雌端子１０の接触面を外部から視認しやすくなり、めっき溜まりが発生していないことの確認が容易になる。
【００２３】
＜他の実施形態＞
本明細書によって開示される技術は上記記述及び図面によって説明した実施形態に限定されるものではなく、例えば次のような種々の態様も含まれる。
（１）上記実施形態では６つの接触片１２を備えて構成されたものを例示しているものの、一対の接触片を備えて構成された雌端子としてもよい。
【００２４】
（２）上記実施形態ではテーパ面１９として平坦面を例示しているものの、円弧面ＣＳおよび壁面２０とのなす角が鋭角でなければよく、円弧状のテーパ面としてもよい。
【００２５】
（３）上記実施形態では丸ピン形状の雄端子に接続される略円筒形の雌端子１０を例示しているものの、平タブ形状の雄端子に接続される角筒形の雌端子に適用してもよい。
【００２６】
（４）上記実施形態では円弧面ＣＳが接触片１２の先端側に設けられているものを例示したが、接触片における長さ方向の中央付近に円弧面を設けてもよい。
【００２７】
（５）上記実施形態では雄端子が雌端子１０に接続された状態で雄端子が面接触している円弧面ＣＳを接触面としたが、雄端子を雌端子１０に接続する過程で雄端子が面接触する面も接触面に含まれる。
【符号の説明】
【００２８】
１０…雌端子
１１…本体部
１２…接触片
１５…収容空間
１９…テーパ面
２０…壁面
ＣＳ…円弧面（接触面）
ＳＬ…スリット
【図１】
2018006060.tif 000003
【図２】
2018006060.tif 000004
【図３】
2018006060.tif 000005
【図４】
2018006060.tif 000006
【図５】
2018006060.tif 000007
【図６】
2018006060.tif 000008